【事件の表示】
　平成１０年特許願第３６１２１７号「フープ材カッター」拒絶査定不服審判事件〔平成１２年　６月２７日出願公開、特開２０００−１７６７２７〕について、次のとおり審決する。
【結　論】
　本件審判の請求は、成り立たない。
【理　由】
１　手続の経緯及び本件発明
　本件出願は、平成１０年１２月１８日の出願であって、同１８年１１月２０日付けで拒絶理由が通知され、その指定期間内の同１９年１月２５日に意見書の提出とともに手続補正がされたが、同１９年２月２０日付けで拒絶をすべき旨の査定がされ、同１９年３月２９日に本件審判の請求がされた。その後、当審において同２０年７月３０日付けで拒絶理由が通知され、その指定期間内の同２０年１０月６日に意見書の提出とともに手続補正がされたものである。
　本件出願の請求項１に係る発明（以下「本願発明」という。）は、平成２０年１０月６日付けの手続補正書により補正された明細書及び図面の記載からみて、その特許請求の範囲の請求項１に記載された事項により特定される次のとおりのものと認められる。
「【請求項１】
　ベースフレーム１とサブフレーム２との間にて摺動しつつ往復動するラム４側に固定した動刃８と、
　前記ベースフレーム１側に固定した固定刃１１との間にて、
　前記ベースフレーム１側に設けたホッパー１３の入口側に設けたフープ材１５をホッパー１３内に供給する上下一対のピンチロール１４によりホッパー１３に送り込まれるフープ材１５を切断するとともに前記サブフレーム２の開口部１７より排出することができるように構成したフープ材カッターにおいて、
　前記サブフレーム２に、前記ベースフレーム１に設けたホッパー１３との対向側に開口部１９を開口し、当該開口部１９を介して前記ラム４の端部に動刃８をバインダー９及びボルト１０を介して固定するとともに、前記ベースフレーム１に固定刃１１をボルト１２を介して固定し、動刃８及び固定刃１１をその取付面に対して直角方向に着脱することができるように構成したことを特徴とするフープ材カッター。」
　
２　引用刊行物
　これに対して、当審において平成２０年７月３０日付けで通知した拒絶理由には、本件出願前に頒布された刊行物である次の刊行物１、２が引用されており、各刊行物には、以下の技術的事項が記載されている。
［引用刊行物］ 
　刊行物１：実願平３−３９３４１号（実開平４−１３３５１７号）のＣＤ　　　　　　−ＲＯＭ 
　刊行物２：特開昭５５−１４４９２４号公報 
　
（１）刊行物１ 
ア　段落【０００１】
「【産業上の利用分野】
　この考案は、電線の端末加工がなされる電線処理機の技術分野で利用され、特に、電線の切断や、被覆端部をはぎ取るためのカッターの取付け用治具に関するものである。」
　
イ　段落【００１２】
「図１および図２に示す取付け用治具１は、後述の電線処理機（全体の図示省略）の切断装置２１（図３参照）に対し、上側刃体２および下側刃体３からなる電線切断用のカッター４を取付けるために用いる治具であって、治具本体５と、この治具本体５に収容されて各刃体２、３の磁気吸着をなすための磁石６Ａ、６Ｂとからなっている。」
　
ウ　段落【００１６】〜【００１７】
「前記、上側刃体２および下側刃体３には、それぞれ二個のボルト孔１４、１５があけられている。
　図３に示す切断装置２１は、基盤２２上に二本の案内柱体２３が立設され、この各案内柱体２３間に上側昇降フレーム２４および下側昇降フレーム２５が昇降可能に架設されたもので、この各昇降フレーム２４、２５が駆動手段（図示省略）により互いに向かい合って昇降するようになされている。」
　
エ　段落【００２０】〜【００２３】
「まず、取付け用治具１の上半部に上側刃体２を、刃部２ａの裏面が前向きになるように挿入すると、上側刃体２は、背面が磁石６Ａに吸着されて上側基準面７に固定されるとともに、左右両側面が上側案内壁１１で位置ずれを阻止される。
　また、取付け用治具１の下半部に下側刃体３を、刃部３ａの表面が前向きになるように挿入すると、下側刃体３は、上側刃体２の場合と同様に、下側基準面８に吸着固定がなされるとともに、左右両側面が下側案内壁１２で位置ずれを阻止されることにより、各刃体２、３が互いに正しく向き合った芯出しが自動的になされる。
　次に、上側刃体２および下側刃体３を取付け用治具１ごと切断装置２１に搬入して各ボルト孔１４、１５に六角穴付きボルトＢを挿入する。そして、この各六角穴付きボルトＢの締め付けにより上側刃体２を上側昇降フレーム２４に下側刃体３を下側昇降フレーム２５に固定したのち、取付け用治具１を各刃体２、３から引き離すことによって、カッター４の取付けを完了する。
　この場合、各刃体２、３に挿入した六角穴付きボルトＢを各昇降フレーム２４、２５のねじ孔（図示省略）に適合させるために、各刃体２、３を上下方向に移動させても、各刃体２、３は、左右両側が各案内壁１１、１２で正しく案内されるから、各刃体２、３の芯出しを乱すおそれがない。」
　
　刊行物１において、上側刃体２と下側刃体３との間にて、本体の入口側から送り込まれる電線等を切断するとともに本体の出口側より排出することができるように構成されることは技術常識より明らかである。
　そして、上記摘記事項エ及び図１及び図３の記載によれば、上側刃体２が上側昇降フレーム２４にボルトＢを介して固定されるとともに、下側刃体３が下側昇降フレーム２５にボルトＢを介して固定されており、上側刃体２及び下側刃体３はその取付面に対して直角方向に着脱することができることも明らかである。
　
　これらの事項を、技術常識を勘案しつつ本願発明に照らして整理すると、刊行物１には、次の発明（以下「引用発明」という。）が記載されているものと認められる。 
「上側昇降フレーム２４側に固定した上側刃体２と、
　下側昇降フレーム２５側に固定した下側刃体３との間にて、
　本体の入口側から送り込まれる電線等を切断するとともに本体の出口側より排出することができるように構成したカッターにおいて、
　上側刃体２が上側昇降フレーム２４にボルトＢを介して固定されるとともに、下側刃体３が下側昇降フレーム２５にボルトＢを介して固定されており、上側刃体２及び下側刃体３はその取付面に対して直角方向に着脱することができるように構成したカッター。」 
　
（２）刊行物２ 
ア　第１頁左下欄第１４〜１８行　
「本発明は自動プレス装置などに併設されるスクラツプフープ材処理用のフープ材カツターの改良に係り、特に単一ガイド構成として、硬質な材料や厚い材料のカツトに好適な単一ガイド構成のフープ材カツターに関する。」
　
イ　第２頁左上欄第７行〜右上欄第９行
「６はフープ材カツターを示し、７はモータであり、上部には減速機８を介して回動軸９を該減速機８に固定した下盤１０にベアリング１１、ベアリング止め１２、オイルシール１３を介して可回動に挿通し、更にその上部突出している。
  固定下盤１０上には未広がり状のラム１４が可摺動的に載置されてあり、且つ前記回動軸９にキー１５を介して設けられた偏心カム１６にベアリング１７を介して相対回動可能にセツトされている。偏心カム１６の反対側端部上面には動刃１８をボルト１９等の適宜手段により取替可能に設けてある。２０はラム１４の周囲に設けたスペーサである。
  ラム１４の上部にはこのラム１４を可摺動に変位させうる上盤２１が固定されて設けられており前記動刃１８に対向してホツパー２２を固定して設け、一方動刃１８の下面に当接可能な様に固定刃２３がホツパー２２の裏面の上盤２１下部にボルト２４等の適当な手段により固定されて設けられている。２５はホツパーカバーである。また３０は上盤２１の略中央に設けた潤滑油グリース注入口３１のニツプルであり、３２は該上盤２１の適宜形状のグリース溝である。」
　
ウ　第１図の記載によれば、固定下盤１０には、上盤２１に設けたホッパー２２との対向側に開口部が開口されており、ホッパー２２に送り込まれて切断されたフープ材を排出することができるようにしたことが看取できる。
　
　これらの事項からみて、刊行物２には、次の発明が記載されているものと認められる。
「上盤２１と固定下盤１０との間にて摺動しつつ往復動するラム側に固定した動刃１８と、
　上盤２１側に固定した固定刃２５との間にて、
　前記上盤２１側に設けたホッパー２２に送り込まれるフープ材を切断するとともに前記固定下盤１０の開口部より排出することができるように構成したフープ材カッターにおいて、
　前記固定下盤１０に、前記上盤２１に設けたホッパー２２との対向側に開口部を開口した、フープ材カッター。」 
　 
３　対比 
　本願発明と引用発明とを対比すると、引用発明の「上側昇降フレーム２４」及び「下側昇降フレーム２５」は、一方のフレーム及び他方のフレームという限りで本願発明の「ラム」及び「ベースフレーム」と共通しており、引用発明の「上側刃体２」及び「下側刃体３」は、一方の刃及び他方の刃という限りで本願発明の「動刃」及び「固定刃」と共通している。 
　また、引用発明の「電線等」は、被切断材という限りで、本願発明の「フープ材」と共通している。
　さらに、引用発明の「本体の入口側から送り込まれる電線等を切断するとともに本体の出口側より排出することができるように構成したカッター」は、「本体の入口側から送り込まれる被切断材を切断するとともに本体の出口側より排出することができるように構成したカッター」という限りで、本願発明の「前記ベースフレーム１側に設けたホッパー１３の入口側に設けたフープ材１５をホッパー１３内に供給する上下一対のピンチロール１４によりホッパー１３に送り込まれるフープ材１５を切断するとともに前記サブフレーム２の開口部１７より排出することができるように構成したフープ材カッター」と共通している。
　したがって、両者の一致点及び相違点は次のとおりと認められる。
［一致点］
「一方のフレーム側に固定した一方の刃と、
　他方のフレーム側に固定した他方の刃との間にて、
　本体の入口側から送り込まれる被切断材を切断するとともに本体の出口側より排出することができるように構成したカッターにおいて、
　一方の刃が一方のフレームにボルトを介して固定されるとともに、他方の刃が他方のフレームにボルトを介して固定されており、一方の刃及び他方の刃はその取付面に対して直角方向に着脱することができるように構成したカッター。」である点。
［相違点］ 
　本願発明は、カッターが、
「ベースフレーム１とサブフレーム２との間にて摺動しつつ往復動するラム４側に固定した動刃８と、
　前記ベースフレーム１側に固定した固定刃１１との間にて、
　前記ベースフレーム１側に設けたホッパー１３の入口側に設けたフープ材１５をホッパー１３内に供給する上下一対のピンチロール１４によりホッパー１３に送り込まれるフープ材１５を切断するとともに前記サブフレーム２の開口部１７より排出することができるように構成したフープ材カッター」であって、
　一方のフレーム及び刃が、「ラム４」及び「動刃８」であり、他方のフレームが、「ベースフレーム１」及び「固定刃１１」であるとともに、「サブフレーム２に、前記ベースフレーム１に設けたホッパー１３との対向側に開口部１９を開口し、当該開口部１９を介して前記ラム４の端部に動刃８をバインダー９及びボルト１０を介して固定する」のに対し、
　引用発明は、そのようなものではない点。 
　 
４　相違点についての検討 
　刊行物２には、上記２（２）に示すとおりの事項が記載されており、刊行物２に記載の発明の「上盤２１」及び「固定下盤１０」は本願発明の「ベースフレーム」及び「サブフレーム」に相当しているから、刊行物２には、
「ベースフレームとサブフレームとの間にて摺動しつつ往復動するラム側に固定した動刃と、
　前記ベースフレーム側に固定した固定刃との間にて、
　前記ベースフレーム側に設けたホッパーに送り込まれるフープ材を切断するとともに前記サブフレームの開口部より排出することができるように構成したフープ材カッターにおいて、
　前記サブフレームに、前記ベースフレームに設けたホッパーとの対向側に開口部を開口した、フープ材カッター。」が記載されているとすることができる。 
　引用発明と刊行物２に記載の発明とは、いずれも一方の刃と他方の刃との間で被切断材を切断するカッターという同一の技術分野に属するものであるとともに、引用発明に係るカッターをフープ材用とできないとする特段の理由も発見しない。してみると、引用発明に刊行物２に記載の発明を適用し、一方のフレーム及び刃を「ベースフレームとサブフレームとの間にて摺動しつつ往復動するラム」及び「動刃」と、他方のフレーム及び刃を「ベースフレーム」及び「固定刃」として、フープ材カッターとすることは当業者が容易になし得たことである。
　ところで、引用発明は、一方の刃及び他方の刃はその取付面に対して直角方向に着脱することができるものであるが、カッタ本体の前記刃の着脱を行う側には、着脱を行うための空間が必要であることは明らかであり、引用発明に刊行物２に記載の発明を適用するに当たり、サブフレームに開口した開口部を介して着脱を行うことに格別困難性はない。
　また、ピンチロールを用いて材料を加工装置等に供給することは従来周知の事項（必要であれば、実願平３−８０５５８号（実開平５−３１８１８号）のＣＤ−ＲＯＭを参照）であり、引用発明において上下一対のピンチロールによりフープ材を供給することに格別困難性はない。
　さらに、ボルトによる固定の際に座金等の別部材を介して固定することも当業者が普通に採用する事項であり、ラムの端部に動刃をバインダー及びボルトを介して固定することも設計的事項にすぎない。
　
　また、本願発明の作用効果についてみても、引用発明、刊行物２に記載の発明から当業者が十分予測しうる範囲内のものであって、格別顕著なものとはいえない。 
 　 
　したがって、本願発明は、引用発明、刊行物２に記載の発明及び従来周知の事項に基づいて当業者が容易に発明をすることができたものである。 
　
５　むすび
　以上のとおり、本件出願の請求項１に係る発明は、引用発明、刊行物２に記載の発明及び従来周知の事項に基づいて当業者が容易に発明をすることができたものであり、特許法第２９条第２項の規定により特許を受けることができないものである。
　よって、結論のとおり審決する。